(57)【要約】【課題】ボビンの強度低下を招かずに、巻胴部に巻かれた光ファイバ心線を確認することができるボビン、光ファイバ心線の検査方法を提供する。【解決手段】光ファイバ心線Ｆが巻かれる巻胴部１１と、巻胴部の一端に固定される鍔部１３とを備えるボビン１０である。鍔部が、鍔部の外側面と内側面とを貫通して、巻胴部の表面を視認可能に形成された開口部２５を有する。好ましくは、巻胴部が主巻胴部１１ａと補助巻胴部２２とからなり、主巻胴部と補助巻胴部との間に設けられた仕切り鍔部２３と、仕切り鍔部に形成され、仕切り鍔部の外周面から主巻胴部の表面に到達するスリット２４とを有し、開口部を有した鍔部が、補助巻胴部の端に仕切り鍔部に対向して配置され、開口部が、仕切り鍔部のスリットに対向した位置に形成されている。【選択図】図２
2018072691.tif 000002
【特許請求の範囲】
【請求項１】
光ファイバ心線が巻かれる巻胴部と、該巻胴部の一端に固定される鍔部とを備えるボビンであって、
前記鍔部が、該鍔部の外側面と内側面とを貫通して、前記巻胴部の表面を視認可能に形成された開口部を有する、ボビン。
【請求項２】
前記巻胴部が主巻胴部と補助巻胴部とからなり、前記主巻胴部と前記補助巻胴部との間に設けられた仕切り鍔部と、該仕切り鍔部に形成され、該仕切り鍔部の外周面から前記主巻胴部の表面に到達するスリットとを有し、
前記開口部を有した前記鍔部が、前記補助巻胴部の端に前記仕切り鍔部に対向して配置され、前記開口部が、前記仕切り鍔部の前記スリットに対向した位置に形成されている、請求項１に記載のボビン。
【請求項３】
前記開口部は、前記巻胴部に巻かれた前記光ファイバ心線の巻き終わり端を視認可能に形成されている、請求項１または２に記載のボビン。
【請求項４】
巻胴部と、該巻胴部の一端に固定される鍔部とを備えるボビンを用い、前記巻胴部に巻かれる光ファイバ心線の色相を検査する光ファイバ心線の検査方法であって、
前記鍔部の外側面と内側面とを貫通して前記巻胴部の表面を視認可能に形成された開口部から、前記巻胴部に巻かれた前記光ファイバ心線の色相を検査する、光ファイバ心線の検査方法。
【請求項５】
前記巻胴部に巻かれた前記光ファイバ心線の巻き始め端を撮影する工程と、
撮影した前記光ファイバ心線の前記巻き始め端の映像信号を構成する画素の色相を求める工程と、
前記巻胴部に巻かれた前記光ファイバ心線の巻き終わり端を撮影する工程と、
撮影した前記光ファイバ心線の前記巻き終わり端の映像信号を構成する画素の色相を求める工程と、
求めた前記光ファイバ心線の前記巻き始め端の色相と求めた前記光ファイバ心線の前記巻き終わり端の色相とを比較する工程とを含む、請求項４に記載の光ファイバ心線の検査方法。
【発明の詳細な説明】
【技術分野】
【０００１】
本発明は、ボビン、光ファイバ心線の検査方法に関し、詳細には、光ファイバ心線が巻かれる巻胴部と、巻胴部の一端に固定される鍔部とを備えるボビン、このボビンを用いた光ファイバ心線の検査方法に関する。
【背景技術】
【０００２】
光ファイバ心線の製造後には、光ファイバ心線の品質を保証するために、種々の検査が行われる。詳しくは、光ファイバ心線はボビンの胴体部に巻かれるが、例えば、伝送損失を測定する場合、この光ファイバ心線の巻き始め端と巻き終わり端の双方を外部に取り出しておく必要がある。例えば、特許文献１には、ボビンの鍔部に２本のスリットを設け、巻き始め端と巻き終わり端の双方を鍔部の外側面に取り出せる構造が開示されている。
【先行技術文献】
【特許文献】
【０００３】
【特許文献１】実開平５−８５０５号公報
【発明の概要】
【発明が解決しようとする課題】
【０００４】
しかしながら、上記特許文献１に記載の構造では、一方のスリット（深スリット）が鍔部の外周面から巻胴部の位置まで到達している。このため、ボビンの強度を図ることが望まれる。
また、巻胴部に巻かれた光ファイバ心線の例えば色相のバラツキの有無を判断するために、特に巻き始め端を巻かれた状態で確認できることも望まれる。
【０００５】
本発明は、上述のような実情に鑑みてなされたもので、ボビンの強度低下を招かずに、巻胴部に巻かれた光ファイバ心線を確認することができるボビン、光ファイバ心線の検査方法を提供することを目的とする。
【課題を解決するための手段】
【０００６】
本発明の一態様に係るボビンは、光ファイバ心線が巻かれる巻胴部と、該巻胴部の一端に固定される鍔部とを備えるボビンであって、前記鍔部が、該鍔部の外側面と内側面とを貫通して、前記巻胴部の表面を視認可能に形成された開口部を有する。
本発明の一態様に係る光ファイバ心線の検査方法は、巻胴部と、該巻胴部の一端に固定される鍔部とを備えるボビンを用い、前記巻胴部に巻かれる光ファイバ心線の色相を検査する光ファイバ心線の検査方法であって、前記鍔部の外側面と内側面とを貫通して前記巻胴部の表面を視認可能に形成された開口部から、前記巻胴部に巻かれた前記光ファイバ心線の色相を検査する。
【発明の効果】
【０００７】
上記によれば、ボビンの強度低下を防止できるとともに、巻胴部に巻かれた光ファイバ心線を確認することができる。
【図面の簡単な説明】
【０００８】
【図１】本発明の一形態によるボビンの概略を説明する図である。
【図２】光ファイバ心線をボビンに巻いた状態を説明する図である。
【図３】第２実施形態によるボビンを説明する図である。
【図４】光ファイバ心線の検査方法の一例を説明する図である。
【発明を実施するための形態】
【０００９】
［本発明の実施形態の説明］
最初に本発明の実施形態の内容を列記して説明する。
本発明の一態様に係るボビンは、（１）光ファイバ心線が巻かれる巻胴部と、該巻胴部の一端に固定される鍔部とを備えるボビンであって、前記鍔部が、該鍔部の外側面と内側面とを貫通して、前記巻胴部の表面を視認可能に形成された開口部を有する。開口部は、その周囲が鍔部の側面で囲まれて鍔部の外周面には連通していないので、ボビンの強度低下を防止できる。また、開口部から巻胴部の表面を視認できるため、巻胴部に巻かれた光ファイバ心線の少なくとも巻き始め端を確認することができる。
【００１０】
（２）前記巻胴部が主巻胴部と補助巻胴部とからなり、前記主巻胴部と前記補助巻胴部との間に設けられた仕切り鍔部と、該仕切り鍔部に形成され、該仕切り鍔部の外周面から前記主巻胴部の表面に到達するスリットとを有し、前記開口部を有した前記鍔部が、前記補助巻胴部の端に前記仕切り鍔部に対向して配置され、前記開口部が、前記仕切り鍔部の前記スリットに対向した位置に形成されている。補助巻胴部を設ける構造の場合には、開口部を仕切り鍔部のスリットに対向した位置に形成することにより、主巻胴部に巻かれた光ファイバ心線の少なくとも巻き始め端を確認することができる。
【００１１】
（３）前記開口部は、前記巻胴部に巻かれた前記光ファイバ心線の巻き終わり端を視認可能に形成されている。光ファイバ心線の巻き終わり端についても確認できれば、巻き始め端との比較が容易になる。
【００１２】
本発明の一態様に係る光ファイバ心線の検査方法は、（４）巻胴部と、該巻胴部の一端に固定される鍔部とを備えるボビンを用い、前記巻胴部に巻かれる光ファイバ心線の色相を検査する光ファイバ心線の検査方法であって、前記鍔部の外側面と内側面とを貫通して前記巻胴部の表面を視認可能に形成された開口部から、前記巻胴部に巻かれた前記光ファイバ心線の色相を検査する。ボビンの強度低下を防止しつつ、光ファイバ心線の色相の検査も可能になる。
（５）前記巻胴部に巻かれた前記光ファイバ心線の巻き始め端を撮影する工程と、撮影した前記光ファイバ心線の前記巻き始め端の映像信号を構成する画素の色相を求める工程と、前記巻胴部に巻かれた前記光ファイバ心線の巻き終わり端を撮影する工程と、撮影した前記光ファイバ心線の前記巻き終わり端の映像信号を構成する画素の色相を求める工程と、求めた前記光ファイバ心線の前記巻き始め端の色相と求めた前記光ファイバ心線の前記巻き終わり端の色相とを比較する工程とを含む。光ファイバ心線の巻き始め端の色相と巻き終わり端の色相との違いを確実に得ることができる。
【００１３】
［本発明の実施形態の詳細］
（第１実施形態）
図１は、本発明の一形態によるボビンの概略を説明する図であり、図２は、光ファイバ心線をボビンに巻いた状態を説明する図である。
ボビン１０は巻胴部１１を有する。巻胴部１１は円筒状に形成され、胴部表面１２に光ファイバ心線を巻くことができる。なお、胴部表面１２が本発明の巻胴部の表面に相当する。
【００１４】
巻胴部１１の両端には、鍔部１３がそれぞれ設けられている。鍔部１３は、巻胴部１１よりも大径の円板状に形成され、巻胴部１１と同心で配置される。なお、巻胴部１２の両端に設けられた鍔部１３のうち、一方の鍔部１３と巻胴部１２とを一体形成することも可能である。
また、鍔部１３には、巻き取り装置の駆動部（図示省略）に連結する軸受容部１４が形成されており、ボビン１０は、その軸線（図１にｚ方向で示す、以下同じ）を中心にして回転可能である。
【００１５】
巻き取り装置からの駆動力によってボビン１０が所定方向に回転すると、引き取られた光ファイバ心線は、ボビン１０の軸線方向に直交するボビン１０の周方向に沿って胴部表面１２に巻かれる。また、光ファイバ心線は、軸線方向で隙間のないように胴部表面１２に巻かれた後、重ねてさらに巻かれる。
なお、光ファイバ心線は、例えば、標準外径１２５μｍのガラスファイバに被覆外径２５０μｍ前後の被覆を施した光ファイバ素線の外側に、さらに着色被覆を施したものであるが、外径の太い光ファイバ心線、例えばオーバーコート心線（外径が４００μｍ〜９００μｍ程度）であってもよい。
【００１６】
ここで、少なくとも一方の鍔部１３には、開口部２５が形成されている。
詳しくは、開口部２５は、鍔部１３の外側面と内側面とを貫通して設けられ、図１や図２（Ａ）に示すように例えば丸型で形成されている。また、開口部２５は例えば巻胴部１１の近傍にのみ形成されており、鍔部１３の外部から開口部２５を覗くと、図２（Ｂ）に示すように、胴部表面１２を視認することができる。
【００１７】
このように、開口部２５は、その周囲が鍔部１３の側面で囲まれて鍔部１３の外周面には連通していないので、ボビン１０の強度低下を防止できる。また、開口部２５から胴部表面１２を視認できる。このため、図２（Ｂ）に示すように、胴部表面１２に巻かれた光ファイバ心線Ｆの巻き始め端Ｆｄや、その上層に位置する巻き終わり端Ｆｕを観察できる。この結果、光ファイバ心線の不具合（例えば色相の違い）を検出可能になる。
【００１８】
この色相の違いに関してさらに説明すると、着色被覆が施された光ファイバ心線（着色心線ともいう）は、光ファイバ素線の外周にインク層を被覆して製造する。この際、インクを塗布するためのインク供給タンク内のインク濃度が均一でない場合に、着色心線製造中に色相が変化する。また、インクの色を変える場合にインク供給配管や塗布装置内に変更前のインクが残っている場合も、着色心線製造中に色相が変化する。このような原因により、光ファイバ心線Ｆの巻き始め端Ｆｄと巻き終わり端Ｆｕとで色相の違いが発生するのである。
【００１９】
また、オーバーコート心線は、着色心線の外周に、被覆の主原料となるベース材にカラーバッチ（着色材）を混ぜて押出被覆することで製造する。この際、ベース材とカラーバッチを押出機の別々の投入口から投入して、オンラインで混合しつつ押出す場合、製造ばらつきにより両者の投入速度に違いが生じて投入割合がずれる場合があり、オーバーコート層の色相が変化する。または、ベース材とカラーバッチとをオフラインで混合して押出機に投入する場合、ベース材とカラーバッチに比重の差があるため、大量に混合する場合は押出し初期と後期で混合比が変化する場合があり、オーバーコート層の色相が変化する。オーバーコート心線では上記のような原因により、光ファイバ心線Ｆの巻き始め端Ｆｄと巻き終わり端Ｆｕとで色相の違いが発生するのである。
【００２０】
（第２実施形態）
ボビンには、巻き始め端の取り出し（口出し）を容易にするために、補助巻胴部を設ける構造があるが、本発明はこの構造にも適用可能である。
図３（Ａ）に示すように、ボビン１０の巻胴部１１が、円筒状の主巻胴部１１ａと、円筒状の補助巻胴部２２とからなる。巻胴部１１の両端には、円板状に形成された鍔部１３がそれぞれ設けられている。
【００２１】
主巻胴部１１ａと補助巻胴部２２との間には、仕切り鍔部２３が設けられている。仕切り鍔部２３は、鍔部１３よりも小径で厚みを薄くして形成される。また、仕切り鍔部２３は、仕切り鍔部２３の外周面から仕切り鍔部２３の径方向に沿って延び、胴部表面１２に達するスリット２４を有している。このスリット２４により主巻胴部１１ａと補助巻胴部２２とが連通するので、巻き始め端を補助巻胴部２２に巻いた後、スリット２４を経て主巻胴部１１ａで光ファイバ心線を巻き取ることができる。
【００２２】
なお、主巻胴部１１ａの両側に補助巻胴部を設置することも可能である。また、鍔部１３や仕切り鍔部２３は、主巻胴部１１ａや補助巻胴部２２に対して取り外し可能であってもよい。
【００２３】
図３（Ａ）に示すように、補助巻胴部２２を挟んで仕切り鍔部２３に対向して配置された鍔部１３には、開口部２５が形成されている。この開口部２５も第１実施形態と同様に、鍔部１３の外側面と内側面とを貫通した例えば丸型で形成されている。
ただし、第２実施形態の開口部２５は、仕切り鍔部２３のスリット２４に対向した位置に形成されており、鍔部１３の外部から開口部２５を覗くと、図３（Ｂ）に示すように、開口部２５からは胴部表面１２を視認することができる。
【００２４】
第２実施形態のように、補助巻胴部２２を設置した構造の場合には、開口部２５を仕切り鍔部２３のスリット２４に対向した位置に形成することにより、主巻胴部１１ａに巻かれた光ファイバ心線の巻き始め端や巻き終わり端を観察することができる。
【００２５】
図４は、光ファイバ心線の検査方法の一例を説明する図である。
光ファイバ心線の検査装置５０は、例えば、制御部５２、映像処理部５３、記憶部５４、色相判定部５５、通信部５６、表示部５７を有しており、第１，２実施形態で説明したボビン１０をカメラ５１で撮影した映像を用いて、ボビン１０に巻かれた光ファイバ心線の例えば着色被覆の色相を判別してもよい。
【００２６】
制御部５２は、例えば、１あるいは複数個のＣＰＵ（Central Processing Unit）等からなり、記憶部５４の例えばＲＯＭに格納されている各種のプログラムやデータをＲＡＭにロードし、このロードしたＲＡＭ内のプログラムを実行する。これにより、検査装置５０の全体の動作を制御する。また、制御部５２は通信部５６を介して外部機器（図示省略）に通信可能である。
【００２７】
カメラ５１を鍔部１３の側方に設置し、鍔部１３の側方から光を真っ直ぐに照射し、巻胴部１１（あるいは主巻胴部１１ａ）に巻かれた光ファイバ心線の例えば巻き始め端や巻き終わり端を開口部２５越しに撮影する。
撮影した映像は制御部５２に送られ、映像処理部５３が、この映像の映像信号に所定の画像処理を施して映像信号を構成する画素の色相をそれぞれ求める。求めた結果は記憶部５４に記憶される。
【００２８】
色相判定部５５は、巻き始め端の色相と巻き終わり端の色相とを比較し、これら巻き始め端の色相と巻き終わり端の色相とが同じか否かを判定する。色相判定部５５で、巻き始め端の色相が巻き終わり端の色相と異なると判定した場合、その旨は表示部５７に表示され、作業者に知らせることができる。
【００２９】
なお、上記各実施形態では、丸型の開口部の例を挙げて説明したが、角型の開口部であってもよい。また、開口部から、光ファイバ心線の巻き始め端と巻き終わり端の双方を視認可能な例を説明したが、例えば巻き始め端だけが視認可能としてもよい。
【００３０】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００３１】
１０…ボビン、１１…巻胴部、１１ａ…主巻胴部、１２…胴部表面、１３…鍔部、１４…軸受容部、２２…補助巻胴部、２３…仕切り鍔部、２４…スリット、２５…開口部、５０…検査装置、５１…カメラ、５２…制御部、５３…映像処理部、５４…記憶部、５５…色相判定部、５６…通信部、５７…表示部。
【図１】
2018072691.tif 000003
【図２】
2018072691.tif 000004
【図３】
2018072691.tif 000005
【図４】
2018072691.tif 000006